(57)【特許請求の範囲】
【請求項１】
使用者の背中を支える背凭れ（１）と、使用者が腰を掛ける座席シート（２）と、背凭れ（１）及び座席シート（２）を支持する座台（３）とから構成され、座台（３）に対して、座席シート（２）の前後方向の中間部が左右に延びる座席シート支軸（８）で支持されており、座席シート（２）の上方から背凭れ（１）の裏面にリンク連結具（５）が突設され、座席シート（２）の後端部上方はリンク連結具（５）に第２のリンク支軸（１５）で軸支され、背凭れ（１）は左右に延びるリンク支軸（７）に軸支されており、背凭れ（１）と一体で左右に延びるリンク支軸（７）がリンク連結具（５）に対してスライド可能に軸支されており、背凭れ（１）は座台（３）に対して、下端部が左右に延びる回転軸（６）に軸着されており、リンク支軸（７）はリンク連結具（５）に設けた円弧状（１２）の長穴との係合によりスライド可能であり、リンク支軸（７）を連結するリンク連結具（５）にリンク支軸（７）のリンク支軸位置固定具（２６）を設け、リンク支軸（７）の位置調節を可能とし、背凭れ（１）の傾斜角度と座席シート（２）の傾斜角度を調節可能にすることを特徴とする安楽座席。
【発明の詳細な説明】
【技術分野】
【０００１】
本発明は、各種椅子、及び飛行機、電車、自動車、船、医療、家庭等の座席で、リラックスするための座席に関するものである。
【背景技術】
【０００２】
特開２０１１−１８３１５１による座席は、背凭れに上半身サポーターを設け、座台に対して、座席シートの前後方向の中間部が左右に延びる座席シート支軸で軸支されており、座台に対して、座席シートの後端部には上方にリンクが突設され、リンクの先端部は、背凭れの上下方向の中央から少し下の位置に左右に延びるリンク支軸で軸着されており、リンクの基端部は座席シート後端部に第２のリンク支軸して軸着されており、背凭れを後方に倒すと、座席シート支軸を中心に、リンクで座席シートの後端部が下がり、背凭れの下端部と座席シートの間隔を広げ、先端部が上がることにより、使用者の膝の裏側で下半身を支持し、尻を浮かせて座席する安楽座席。
【０００３】
しかしながら、リラックスしながらテレビ等を見たりする一般的なリクライニングシート、座椅子としては使用ができない。使用者が背凭れを後方に倒すとリンクで、座席シートの傾斜角度が一定となり、使用者は座席シートの傾斜角度を選択できない。背凭れに一時的でも体重を多く受ける、リクライニングシートは製造コストが高くなる。欠点がある。
【先行技術文献】
【特許文献】
【０００４】
【特許文献１】特開２０１１−１８３１５１
【発明の概要】
【発明が解決しようとする課題】
【０００５】
本発明は、以上のような、座席の欠点を鑑み、リラックスしながらテレビ等を見たりする一般的なリクライニングシート、座椅子としては使用ができない。の解決方法はリンク連結具を背凭れの背面に設け、リンク連結具に軸着されたリンク支軸をリンク連結具に対してスライド可能に軸着して、一般的なリクライニングシート、座椅子として使用できる座席にする。使用者が背凭れを後方に倒すとリンクで座席シートの傾斜角度が一定となり、使用者は座席シートの傾斜角度を選択できない。の解決方法はリンク支軸の位置を上下に調節可能にして、リンク支軸の位置を設定し、背凭れの傾斜角度と座席シートの傾斜角度を選択できる座席にする。背凭れに一時的でも体重を多く受ける、リクライニングシートは製造コストが高くなる。の解決方法は低コストのリクライニングシートを提供する。ことで、リクライニングシートと尻を浮かせて座席する安楽座席、とを使い分けができる利便座席を提供することを目的としている。    
【０００６】
脚を上げたファウラー体位ができる座席は、ノルウェーのデザイナー、セラピスト、医者、学者等の各分野の、専門家の集結から開発された新しいフォルムとされ、背筋が自然に伸び、筋肉にも内臓にも負担をかけずに圧迫感のない自然なバランスが可能とノルウェーのVarier社では宣伝されている。また、自重で背筋を伸ばし、おなかに力が入り、腸腰筋や背筋の持久力を維持する、ぶら下がりに健康効果はよく知られている。リクライニングシートと尻を浮かせて座席する安楽座席、とを使い分けができる利便座席を提供することを目的としている。    
【課題を解決するための手段】
【０００７】
上記目的を達成するため本発明の本案は、使用者の背中を支える背凭れと、使用者が座席する座席シートと、背凭れ及び座席シートを支持する座台とから構成され、座台に対して、座席シートの前後方向の中間部が左右に延びる座席シート支軸で軸支されており、座席シートの上方にリンク連結具が突設され、座席シートの後端部はリンク連結具に第２のリンク支軸で軸着され、背凭れは左右に延びるリンク支軸に軸着されており、背凭れと一体で左右に延びるリンク支軸がリンク連結具に対してスライド可能に軸着されており、背凭れは座台に対して、下端部が左右に延びる回転軸で軸支されており、背凭れの傾斜角度と座席シートの傾斜角度を調節可能とすることを特徴とする。で安楽座席を構成している。
【０００８】
図１において、座台に対して、座席シートの前後方向の中間部が左右に延びる座席シート支軸で軸支されており、座席シートの上方にリンク連結具が突設され、座席シートの後端部はリンク連結具に第２のリンク支軸で軸着され、背凭れは左右に延びるリンク支軸に軸着されており、背凭れと一体で左右に延びるリンク支軸がリンク連結具に対してスライド可能に軸着されており、背凭れは座台に対して、下端部が左右に延びる回転軸で軸支されており、背凭れの傾斜角度と座席シートの傾斜角度を調節可能とする。
【０００９】リンク連結具を背凭れの裏面に設け、リンク支軸を、長穴と軸との係合によりスライド可能にし、前記長穴は円弧状である。【００１０】
リンク支軸を連結するリンク連結具に、リンク支軸のリンク支軸位置固定具を設け、リンク支軸の位置調節可能とする。
【００１１】
リンク支軸の下方にリンク支軸位置固定具を設ける。リンク支軸位置固定具はリンク支軸の位置を決定し、固定して背凭れの傾斜角度と座席シートの傾斜角度を設定する。第２のリンク支軸に上記を設けても本発明に属する。リンク支軸位置固定具の固定方法は限定しない。リンク支軸位置固定具の材質は軽量で強い合成樹脂、アルミ等を使用する。
【００１２】
座席シートには、ガイドレールを設け、前後方向をガイドレールに沿い位置調節可能とし、座席シートの先端側を使用者の膝の裏側に合せ固定して使用する。座席シートの前後方向の中間部には座席シートを下方から受けるストッパーを座台から設ける。
【００１３】
背凭れの回転軸を作動して、傾斜角度を調節する方法としては、手動式、ガス式、油圧式、電動式の何れを使用してもよい。
【００１４】
使用者がリクライニングシートとして使用する場合は、リンク連結具のリンク支軸位置固定具の固定具を緩めリンク支軸位置固定具をフリーにする。（リンク支軸を上下自在に円弧状の長穴に沿いスライドできるようにする。）
【００１５】
使用者は図１のように座席シートに着席する。背凭れに背中を付けた姿勢になり、使用者が背凭れの回転軸を作動すると、リンク支軸は回転軸を中心に回動して、円弧状の長穴に沿いスライドし、背凭れを好みの傾斜角度に固定して使用する。図３は座台に対して、背凭れ傾斜角度４５度、座席シート傾斜角度１０度の使用状態である。
【００１６】
使用後は、使用者が背凭れの回転軸を作動すると、リンク支軸は回転軸を中心に回動して、円弧状の長穴に沿いスライドし、元の背凭れの位置に戻る。（図１参照）
【００１７】
背凭れの傾斜角度は座台に対して、１０〜８０度とする。
【００１８】
使用者が尻を浮かせて座席する安楽座席として使用する場合は、使用者はリンク連結具の、リンク支軸位置固定具を好みの位置に設定し、リンク支軸が下方に動かぬように、リンク支軸位置固定具を、固定具で固定する。
【００１９】
使用者は図１のように座席シートに着席する。座席シートの先端側を使用者の膝の裏側に合せて固定する。背凭れに背中を付けた姿勢になり、座台に対して、背凭れの下端部が左右に延びる回転軸で軸支されている背凭れを後方に倒すと、座席シートは座席シート支軸を中心に、リンクで座席シートの後部が下がり、背凭れの下端部と座席シートの間隔を広げ、先端部が上がることにより、使用者の膝の裏側で下半身を支持し、尻を浮かせて座席する。
【００２０】
図４のように、尻を浮かせて、脚をあげた医学的にも腰にやさしい姿勢（ファウラー体位）となり、椎間板に負担をかけないで、リラックスできる。リンク連結具に設けたリンク支軸位置固定具で、リンク支軸の位置を設定することで、背凭れの傾斜角度と座席シートの傾斜角度を調節できる。図４は、座台に対して、背凭れ傾斜角度３０度、座席シート傾斜角度４５度の使用状態である。
【００２１】
使用後は、使用者が背凭れの回転軸を作動して元の背凭れの位置に戻すとリンクにしている座席シートも元の位置に戻る。（図１参照）
【００２２】
脚を上げた医学的にも腰にやさしい姿勢（ファウラー体位）になりリラックスできる。使用者のおなかに力を入れて自重で背筋を伸ばす姿勢で、椎間板に負担をかけないで腹筋や背筋の持久力につながる。
【００２３】
背凭れの傾斜角度調節は、座台に対して、３０〜８０度とする。座席シートの傾斜角度調節は、例えば図４のように、背凭れの傾斜角度が座台に対して、３０度に設定の場合は、座席シートの傾斜角度は座台に対して、１０〜４５度に傾斜角度を調節可能になる。
【００２４】
リクライニングシートと尻を浮かせて座席する安楽座席、とを使い分けができる利便座席を提供できる。必要に応じ安全ベルトを取付ける。
【００２５】
本発明のうち請求項１記載の発明は、使用者の背中を支える背凭れ（１）と、使用者が腰を掛ける座席シート（２）と、背凭れ（１）及び座席シート（２）を支持する座台（３）とから構成され、座台（３）に対して、座席シート（２）の前後方向の中間部が左右に延びる座席シート支軸（８）で支持されており、座席シート（２）の上方から背凭れ（１）の裏面にリンク連結具（５）が突設され、座席シート（２）の後端部上方はリンク連結具（５）に第２のリンク支軸（１５）で軸支され、背凭れ（１）は左右に延びるリンク支軸（７）に軸支されており、背凭れ（１）と一体で左右に延びるリンク支軸（７）がリンク連結具（５）に対してスライド可能に軸支されており、背凭れ（１）は座台（３）に対して、下端部が左右に延びる回転軸（６）に軸着されており、リンク支軸（７）はリンク連結具（５）に設けた円弧状（１２）の長穴との係合によりスライド可能であり、リンク支軸（７）を連結するリンク連結具（５）にリンク支軸（７）のリンク支軸位置固定具（２６）を設け、リンク支軸（７）の位置調節を可能とし、背凭れ（１）の傾斜角度と座席シート（２）の傾斜角度を調節可能にすることを特徴とする安楽座席。
【発明の効果】
【００２９】以上の説明から明らかなように、本発明にあっては次に列挙する効果が得られる。
使用者の背中を支える背凭れと、使用者が座席する座席シートと、背凭れ及び座席シートを支持する座台とから構成され、座台に対して、座席シートの前後方向の中間部が左右に延びる座席シート支軸で軸支されており、座席シートの上方にリンク連結具が突設され、座席シートの後端部はリンク連結具に第２のリンク支軸で軸支され、背凭れは左右に延びるリンク支軸に軸支されており、背凭れと一体で左右に延びるリンク支軸がリンク連結具に対してスライド可能に軸着されており、背凭れは座台に対して、下端部が左右に延びる回転軸で軸着されており、背凭れの傾斜角度と座席シートの傾斜角度を調節可能にする。で安楽座席を構成しているので、
１）  各種椅子、及び飛行機、電車、自動車、船、医療、家庭等の座席で、仕事や旅行、医療等で長時間座り続けて椎間板に負担をかけている人々に、椎間板に負担をかけないで，尻を浮かせて座席する安楽座席とリクライニングシートとを使い分けができる利便座席を提供できる。
２）  リンク連結具を背凭れの裏面に設けることで、構造が一体化し、設定を容易にできて、リンク支軸を簡単にスライド、調節をさせることができる。
３）  背凭れの傾斜角度と座席シートの傾斜角度を調節可能とする安楽座席を提供できる。
４）  脚を上げた医学的にも腰にやさしい姿勢（ファウラー体位）になり、椎間板に負担をかけないでリラックスできる。又リクライニングシートにより自由な姿勢ができる。
５）  座席シートの先端側を使用者の膝の裏側に合せて固定することで、スムースにリ        ラックスできる姿勢にできる。【００３０】
前記１）〜５）によって
１）自重で背筋を伸ばし、おなかに力が入り、腸腰筋や背筋の持久力を維持することができる座席で、日常的に腰のケアーする生活習慣としてのリクライニングシート、エクササイズができる安楽座席として使用でき、普段は一般のリクライニングシートとして使用できる。
２）リラックスして、自然に眠くなり、仮眠ができる安楽座席として使用できる。
３）病院や介護での長い待ち時間、透析や点滴、介護等を自分の好みの姿勢でリラックスしながら受けられる。
４）仕事や旅行、医療、家庭等で長時間、座り続けて椎間板に負担をかけている人々に対して貢献できる。
５）リクライニングシートとして併用でき１台分の場所で使用できる。
請求項１〜４も前記と同様な効果が得られる。
【図面の簡単な説明】
【００３１】
【図１】本発明の安楽座席の全体図である。
【図２】本発明の安楽座席の背面図である。
【図３】本発明の安楽座席の座台に対して、背凭れ傾斜角度４５度、座席シート傾斜角度１０度の使用状態図である。
【図４】本発明の安楽座席の座台に対して、背凭れ傾斜角度３０度、座席シート傾斜角度４５度の使用状態図である。
【発明を実施するための形態】
【００３２】
本発明における、安楽座席の実施形態を図に基づいて説明する。
【実施例１】
【００３３】
図１において、使用者の背中を支える背凭れ１と、使用者が座席する座席シート２と、背凭れ１及び座席シート２を支持する座台３とから構成され、座台３に対して、座席シート２の前後方向の中間部が左右に延びる座席シート支軸８で軸支されており、座席シート２の上方にリンク連結具５が突設され、座席シート２の後端部はリンク連結具５に第２のリンク支軸１５で軸着され、背凭れ１は左右に延びるリンク支軸７に軸着されており、背凭れ１と一体で左右に延びるリンク支軸７がリンク連結具５に対してスライド可能に軸着されており、背凭れ１は座台３に対して、下端部が左右に延びる回転軸６で軸支されており、背凭れ１の傾斜角度と座席シート２の傾斜角度を調節可能にする。
【００３４】
背凭れ１は、低コストのリクライニングシートを使用する。
【００３５】リンク連結具５はチャンネルを加工して背凭れ１の裏面に設け、リンク支軸７を、長穴と軸との係合によりスライド可能にし、前記長穴は円弧状１２である。【００３６】
リンク支軸７を連結するリンク連結具５に、リンク支軸７のリンク支軸位置固定具２６を設け、リンク支軸７の位置調節可能とする。
【００３７】
リンク連結具５には、リンク支軸７が座台３に対して、上下方向にスライドする，円弧状１２の長穴を設ける。リンク支軸７の下方にリンク支軸位置固定具２６を設け、リンク支軸位置固定具２６が落下しない程度の、弱い支えバネ２８を取付けて支え、支えバネ２８はバネ取付座２９にバネ取付ボルト３０で取付ける。リンク支軸位置固定具２６はリンク支軸７の位置を決定し、固定して背凭れ１の傾斜角度と座席シート２の傾斜角度を設定する。
【００３８】
リンク支軸位置固定具２６は中央にネジを切り、固定具２７のボルトをねじ込み、リンク支軸位置固定具２６をリンク連結具５のガイド１１に密着させて固定する。リンク支軸位置固定具２６の材質は軽量の合成樹脂を使用。リンク支軸位置固定具２６の固定方法は限定しない。
【００３９】
座席シート２には、ガイドレール２０を設け、前後方向をガイドレール２０に沿い位置調節可能とし、座席シート２の先端側を使用者の膝の裏側に合せ固定して使用する。座席シート２の前後方向の中間部には、座席シート２を下方から受ける、ストッパー９を座台３から設ける。
【００４０】
使用者がリクライニングシートとして使用する場合は、リンク連結具５のリンク支軸位置固定具２６の固定具２７を緩めリンク支軸位置固定具２６をフリーにする。（リンク支軸７を上下自在に円弧状１２の長穴に沿いスライドできるようにする。）
【００４１】
使用者は図１のように座席シート２に着席する。背凭れ１に背中を付けた姿勢になり、使用者が背凭れ１の回転軸６を作動すると、リンク支軸７は回転軸６を中心に回動して、円弧状１２の長穴に沿いスライドし、背凭れ１を好みの傾斜角度に固定して使用する。図３は座台３に対して、背凭れ１傾斜角度４５度、座席シート２傾斜角度１０度の使用状態である。
【００４２】
使用後は、使用者が背凭れ１の回転軸６を作動すると、リンク支軸７は回転軸６を中心に回動して、円弧状１２の長穴に沿いスライドし、元の背凭れ１の位置に戻る。（図１参照）
【００４３】
背凭れ１の傾斜角度は座台３に対して、１０〜８０度とする。
【００４４】
使用者が尻を浮かせて座席する安楽座席として使用する場合は、使用者はリンク連結具５の、リンク支軸位置固定具２６を好みの位置に設定し、リンク支軸７が下方に動かぬように、リンク支軸位置固定具２６を固定具２７で固定する。
【００４５】
使用者は図１のように座席シート２に着席する。座席シート２の先端側を使用者の膝の裏側に合せて固定する。背凭れ１に背中を付けた姿勢になり、使用者が座台３に対して、背凭れ１の下端部が左右に延びる回転軸６で軸支されている背凭れ１を後方に倒すと、座席シート２は座席シート支軸８を中心に、リンクで座席シート２の後部が下がり、背凭れ１の下端部と座席シート２の間隔を広げ、先端部が上がることにより、使用者の膝の裏側で下半身を支持し、尻を浮かせて座席する。
【００４６】
図４のように、尻を浮かせて、脚をあげた医学的にも腰にやさしい姿勢（ファウラー体位）となり、椎間板に負担をかけないで、リラックスできる。リンク連結具５に設けたリンク支軸位置固定具２６で、リンク支軸７の位置を設定することで、背凭れ１の傾斜角度と座席シート２の傾斜角度を調節できる。図４は、座台３に対して、背凭れ１傾斜角度３０度、座席シート２傾斜角度４５度の使用状態である。
【００４７】
使用後は、使用者が背凭れ１の回転軸６を作動して元の背凭れ１の位置に戻すとリンクにしている座席シート２も元の位置に戻る。（図１参照）
【００４８】
脚を上げた医学的にも腰にやさしい姿勢（ファウラー体位）になりリラックスできる。使用者のおなかに力を入れて自重で背筋を伸ばす姿勢で、椎間板に負担をかけないで腹筋や背筋の持久力につながる。
【００４９】
背凭れ１の傾斜角度調節は、座台３に対して、３０〜８０度とする。座席シート２の傾斜角度調節は、例えば図４のように、背凭れ１の傾斜角度が座台３に対して、３０度に設定の場合は、座席シート２の傾斜角度は座台３に対して、１０〜４５度に傾斜角度を調節可能になる。
【００５０】
リクライニングと尻を浮かせて座席する安楽座席、とを使い分けができる利便座席を提供できる。
【産業上の利用可能性】
【００５１】
本発明は、リラックスするための安楽座席を製造する産業で利用される。
【符号の説明】
【００５２】
１      背凭れ
２      座席シート
３      座台
４      背中腰パット
５      リンク連結具
６      回転軸
７      リンク支軸
８      座席シート支軸
９      ストッパー
１１    ガイド
１２    円弧状
１５    第２のリンク支軸
１６    背凭れフレーム
２０    ガイドレール
２１    肘かけ
２６    リンク支軸位置固定具
２７    固定具
２８    支えバネ
２９    バネ取付け座
３０    バネ取付ボルト
【図１】
0005510757.tif 000002
【図２】
0005510757.tif 000003
【図３】
0005510757.tif 000004
【図４】
0005510757.tif 000005